(57)【要約】【課題】車輪の洗浄時、タイヤの溝内に侵入した土砂、その他ゴミの取り除きが困難であること、洗浄後の車輪が濡れた状態から走行が可能なまでに水分を取り除くのに手間がかかる等の難点があり、これらのことを解決する。【解決手段】車椅子を載せる装置本体ベースに設けた転動ロールにより支持しながら大小の両車輪を研掃可能としてなる車椅子の車輪洗浄装置において、転動ロールに加えて長短異なる長さの線条を同一回転軸上に有する研掃ブラシ４を設け、車椅子１の車輪に向けて送風吹出口１１を設けたことを特徴とする車椅子の車輪洗浄装置である。【選択図】　　　　図２
2004017733.tif 000002
【特許請求の範囲】
【請求項１】
車椅子を載せる装置本体ベースに設けた転動ロールにより支持しながら大小の両車輪を研掃可能としてなる車椅子の車輪洗浄装置において、転動ロールに加えて長短異なる長さの線条を同一回転軸上に有する研掃ブラシを設けたことを特徴とする車椅子の車輪洗浄装置。
【請求項２】
車椅子を載せる装置本体ベースに設けた転動ロールにより支持しながら大小の両車輪を研掃可能としてなる車椅子の車輪洗浄装置において、車椅子の車輪に向けて送風吹出口を設けたことを特徴とする車椅子の車輪洗浄装置。
【発明の詳細な説明】
【０００１】
【発明の属する技術分野】
本発明は、車椅子の洗浄の汚れを効率よく取り除くと共に、洗浄後車輪を短時間に乾燥した状態で走行可能にする車椅子の車輪洗浄装置に関するものである。
【０００２】
【従来の技術】
外出後には車椅子の車輪が汚れているため、帰宅後に介護人が雑巾等で車輪を拭いて汚れを落とす必要があった点を装置によって研掃する試みが特開平８−３０８８７９号で提案されている。これは車椅子の前後の車輪のそれぞれを載せて回転する車輪回転ロール清掃用ロールが、前後に配置された大がかりな装置であるが、一般家庭等で手軽に使用できるものではない。
【０００３】
車椅子の車輪をきれいにする作業が手作業で行われるのは介護人に負担となるし、身障者自身も洗浄時に車から降りたり、介護人に感謝の意思を伝えければならないといった気遣いの負担も生じていた。そこで、介護人にも身体障害者にも負担が少なく、しかも車輪の洗浄が高能率で行われる、コンパクトな装置の開発を検討して、先に特開平１１−２７４０５７号で提案している。
【０００４】
【発明が解決しようとする課題】
本発明者らは、先に特開平１１−２７４０５７号で提案した車椅子の車輪洗浄装置に更に検討を加え、車輪の洗浄時、タイヤの溝内に侵入した土砂、その他ゴミの取り除きが困難であること、洗浄後の車輪が濡れた状態から走行が可能なまでに水分を取り除くのに手間がかかる等の難点があり、これらのことを検討した。
【０００５】
【課題を解決するための手段】
上記課題を検討した結果、車椅子を載せる装置本体ベースに設けた転動ロールにより支持しながら大小の両車輪を研掃可能としてなる車椅子の車輪洗浄装置において、転動ロールに加えて長短異なる長さの線条を同一回転軸上に有する研掃ブラシを設けたことを特徴とする車椅子の車輪洗浄装置とした。車椅子を載せる装置本体ベースに対し車椅子の車輪を支持する転動ロールと同車輪を研掃する研掃ロールを設けて、研掃ロール近傍の大径車輪を支持する複数の転動ロール群内に、小径車輪を支持する転動ロールを設け、これらの共通した研掃ロールにより大小の両車輪を研掃可能としてなる車椅子の車輪洗浄装置において、研掃ロールに代えて長短異なる長さの線条を同一回転軸上に有する研掃ブラシとしたのである。ここにいう長短異なる長さの線条は、ブラシの同一回転軌跡上に長短異なる長さの線条が巡るように順次植設された状態であり、線条の長短、腰の強弱などの特性によって、単なる線条を有するブラシでは除去が不可能であった車輪タイヤの溝内に存在する砂利その他のごみの除去を可能にしている。
【０００６】
また、上記車椅子の車輪洗浄装置において、車椅子の車輪に向けて送風吹出口（ブロワ）を設けたことを特徴とする車椅子の車輪洗浄装置とした。ここにいう送風吹出口は、好ましくはブロワ本体からの温風を車椅子の両側車輪へ吹付けるべく、ブロワ本体から分岐させた通風路と、該通風路を暖めるヒータを設けた構造が好ましい。
【０００７】
【発明の実施の形態】
図１は本発明の車輪洗浄装置の平面図、図２は同装置の側面図である。図３は図１中Ａ矢視図である。図４は同部分の側面図である。本発明の車輪洗浄装置は車椅子１が手軽に乗ることのできる低床の装置本体ベース２に対し、前後（図中左右）に道板３ａ，３ｂを渡架しており、身体障害者を乗せたまま（又は空）の車椅子の前輪１ａ，１ａ又は後輪１ｂ，１ｂが装置本体ベース２上に達すると、洗浄部５の研掃ブラシ４，４と接して洗浄可能となる構造である。
【０００８】
洗浄部５は車椅子の車輪を支持する転動ロール群６及びその近傍に研掃ブラシ４を設けている。転動ロール群６と研掃ブラシ４は車輪に接触して回転する位置に設けられており、転動ロール群６のロール内に内蔵かつ同軸で設けられたモータで回転する。図示した例では転動ロール群６のうちの大径の転動ロール６ａ内にモータが有り、駆動ベルト１６ａで転動ロール６ｂと連結し、転動ロール６ｂ，６ｃを広幅の駆動ベルト１６ｂで連結して駆動するようにしている。
【０００９】
小径の前輪１ａは走行時の方向転換を容易にするために、水平方向に回動する。そこで、洗浄のために前輪１ａが装置上に乗った場合に、転動ロール群６に沿う横向きになるとロールとロールの間へ入り込んでしまうことになり、洗浄操作が難しくなるし、前進も後退も困難となる。車椅子の車輪が正しい位置へ乗ることと、この洗浄時の安定性を保持するために転動ロール群６上進行方向にほぼ車輪幅となるように対峙して装置本体側へ車輪ガイド７を軸支して設けている。
【００１０】
本発明で特徴的な研掃ブラシ４は、図５の平面図及び、図６の側面図にみられるように、支軸４ｃに対して長線条４ａと短線条４ｂとが回転時に同一軌跡上に長短異なる長さの線条が巡るように順次植設されている。研掃ブラシ４には洗浄水が供給される。そのために装置本体ベース２には底面が閉鎖された液溜８を設けており、回転研掃ブラシ４は図２に示すようにその液溜８に浸漬可能な高さと位置へ設けている。この液溜８には貯水タンク９から水が供給される。供給は液溜の減量に応じて貯水タンク９の下方供給口から水が補充される構造であり、液の汚れは適度に液交換により取り除かれる。
【００１１】
図７は小径の前輪１ａを研掃中の様子を示す洗浄部付近の側面図である。また、図８は大径の後輪１ｂを研掃中の様子を示す洗浄部付近の側面図である。図７の小径の前輪１ａの研掃の場合は、転動ロール群６のうち研掃ブラシ４に隣接する２本の転動ロール６ａ，６ｂが前輪１ａを支持して回転させて研掃ロール４により研掃する。次に大径の後輪１ｂを研掃する時には、図８のように転動ロール群６の３本の総ての転動ロール６ａ，６ｂ，６ｃが後輪１ｂを支持して回転させて研掃ブラシ４により研掃するようになっている。大小の両車輪を同一の研掃ブラシによって研掃可能としている。ロールを回転させるためのモータは転動ロール６ａ内に軸支して設けられており、転動ロール６ａ，６ｂの間に挟み込むようにして、研掃ブラシ４を回転させるようにしている。そのために研掃ブラシ４の取付軸に研掃ロール１０を設けている。
【００１２】
洗浄部５において小径の前輪１ａも大径の後輪１ｂも研掃を終えると濡れた状態になるが、洗浄部５の後方へ送風吹出口１１を設けて布等で拭う（水切り）必要がないようにしている。図９に要部平面図、図１０に要部側面図を示すように、送風吹出口１１はブロワ本体１２からの温風を車椅子の両側車輪１ａ（又は１ｂ）へ吹付けるべく、ブロワ本体１２からの通風路１３を分岐させ、この通風路１３に内部の空気を暖めるヒータ１４を設けた構造としている。
【００１３】
次に、転動ロール６ｂ，６ｃを広幅の駆動ベルト１６ｂで連結して駆動するようにした理由を説明する。図１３は駆動ベルトなしに直接転動ロール群６に前輪（小輪）が載る場合を示している。駆動ベルトがないと転動ロール６ｂと転動ロール６ｃ間に凹凸ができ、その凹凸に車輪がはまり込み進行が妨げられることとなる。しかし、図１１、図１２のように広幅の駆動ベルト１６ｂで連結していると、転動ロール６ｂと転動ロール６ｃ間に凹凸がなくなり、進行もし易くなる。
【００１４】
【発明の効果】
本発明の車椅子の車輪洗浄装置は、車椅子による外出後帰宅時等において、装置本体ベース上に乗るだけで、前輪又は後輪を洗浄することができる。これら車輪の洗浄時、長線条と短線条とからなる研掃ブラシを設けたので、従来取り除きが困難であったタイヤの溝内の土砂、その他ゴミを完全に取り除くことができる。
【００１５】
また、送風吹出口を設けて、温風をタイヤに吹付けて乾かすようにしたので、洗浄後車輪が濡れた状態から走行が可能なまでに水分を取り除くのが早く、しかも手間を省力化することができる。
【図面の簡単な説明】
【図１】本発明の車輪洗浄装置（車椅子の車輪も図示）の平面図である。
【図２】同装置の側面図である。
【図３】図１中Ａ矢視図である。
【図４】図３と同部分の側面図である。
【図５】研掃ブラシの平面図である。
【図６】研掃ブラシの側面図である。
【図７】小径の前輪研掃中の様子を示す洗浄部付近の側面図である。
【図８】大径の後輪研掃中の様子を示す洗浄部付近の側面図である。
【図９】送風吹出口を設けた様子を示す要部平面図である。
【図１０】送風吹出口を設けた様子を示す要部側面図である。
【図１１】広幅の駆動ベルトで連結して駆動するようにした洗浄部付近の要部平面図である。
【図１２】広幅の駆動ベルトで連結して駆動するようにした洗浄部付近の要部側面図である。
【図１３】広幅の駆動ベルトがない場合の洗浄部付近の側面図である。
【符号の説明】
１　車椅子
２　装置本体ベース
３ａ，３ｂ　道板
４　研掃ブラシ
５　洗浄部
６　転動ロール群
６ａ，６ｂ，６ｃ　転動ロール
７　車輪ガイド
８　液溜
９　貯水タンク
１０　研掃ロール
１１　送風吹出口
１２　ブロワ本体
１３　通風路
１４　ヒータ
【図１】
2004017733.tif 000003
【図２】
2004017733.tif 000004
【図３】
2004017733.tif 000005
【図４】
2004017733.tif 000006
【図５】
2004017733.tif 000007
【図６】
2004017733.tif 000008
【図７】
2004017733.tif 000009
【図８】
2004017733.tif 000010
【図９】
2004017733.tif 000011
【図１０】
2004017733.tif 000012
【図１１】
2004017733.tif 000013
【図１２】
2004017733.tif 000014
【図１３】
2004017733.tif 000015